【手続補正書】
【提出日】平成17年2月17日(2005.2.17)
【手続補正１】
【補正対象書類名】明細書
【補正対象項目名】特許請求の範囲
【補正方法】変更
【補正の内容】
【特許請求の範囲】
【請求項１】
ａ）複数の書換え可能なセグメントを含む電気的に書換え可能なラベルを提供する工程であって、前記セグメントはそれぞれ、少なくとも第１および第２の光学状態において有効な材料を含む層を有し、時間関連情報を書き込んだり、書換えたり、目で見たりすることができ、前記時間関連情報は物品あるいは前記物品に関連する装置の使用または可能な使用に関連し、前記時間関連情報はその材料に適当な電場を提供することにより電気的に変化させることができる電気的に書換え可能なラベルの提供工程と、
ｂ）前記物品に結合させる前記ラベルを提供する工程と、
ｃ）電気的に、選択されたセグメントをアドレスし、適当な時間関連情報を書き込むまたは書き換える工程と、
を含み、物品上に提供することができるラベル上に書換え可能な時間関連情報を記録する方法。
【請求項２】
ａ）複数の書換え可能なセグメントを含む電気的に書換え可能なラベルを提供する工程であって、前記セグメントはそれぞれ、少なくとも第１および第２の光学状態において有効なコレステリック液晶材料を含む層を有し、時間関連情報を書き込んだり、書換えしたり、目で見たりすることができ、前記時間関連情報は物品物の使用または可能な使用に関連し、前記時間関連情報はその材料に適当な電場を提供することにより電気的に変化させることができる電気的に書換え可能なラベルの提供工程と、
ｂ）前記物品に結合させる前記ラベルを提供する工程と、
ｃ）電気的に、選択されたセグメントをアドレスし、適当な時間関連情報を書き込むまたは書き換える工程と、
を含み、物品上に提供することができるラベル上に書換え可能な時間関連情報を記録する方法。
【請求項３】
ａ）複数の書換え可能なセグメントを含む電気的に書換え可能なラベルを提供する工程であって、前記セグメントはそれぞれ、少なくとも第１および第２の光学状態において有効な材料を含む層を有し、返却時間関連情報を書き込んだり、目で見たりすることができ、前記返却時間関連情報は物品の使用または可能な使用に関連し、前記返却時間関連情報は前記材料に適当な電場を提供することにより電気的に変化させることができる工程と、
ｂ）前記物品に結合させる前記ラベルを提供する工程と、
ｃ）電気的に、選択されたセグメントをアドレスし、適当な時間関連情報を書き込むまたは書き換える工程と、
を含み、レンタル物品上に提供することができるラベル上に書換え可能な時間関連情報を記録する方法。
【請求項４】
ａ）複数の書換え可能なセグメントを含む電気的に書換え可能なラベルを提供する工程であって、前記セグメントはそれぞれ、透明基板と、前記基板上の透明電極と、コレステリック液晶材料を含む層と、開口を有する誘電体層と、前記誘電体層上に設けられ、前記開口中ではコレステリック液晶支持層と接触しそのような開口中の前記位置では有効であり少なくとも第１および第２の光学状態にある第２の導体と、を有し、返却時間関連情報を書き込んだり、目で見たりすることができ、前記返却時間関連情報は物品の使用または可能な使用に関連し、前記返却時間関連情報は前記材料に適当な電場を提供することにより電気的に変化させることができる電気的に書換え可能なラベルの提供工程と、
ｂ）前記物品に結合させる前記ラベルを提供する工程と、
ｃ）電気的に、選択されたセグメントをアドレスし、望ましくない前の返却時間関連情報を消去し、適当な返却時間関連情報を書き込む工程と、を含み、レンタル物品上に提供することができるラベル上に書換え可能な時間関連情報を記録する方法。
【請求項５】
時間関連情報を表示するためのディスプレイ部分を有するラベルであって、
前記ディスプレイ部分は、電気的に書き換え可能なコレステリック液晶材料を有するディスプレイであり、前記コレステリック液晶材料は、電場を除いた後、いつまでも一定の状態を維持し、
前記書き換え可能なディスプレイは、１週間の日またはその日の時刻に対応する各々のセグメントに分割されている時間関連情報を表示するためのディスプレイ部分を有するラベル。
【請求項６】
時間関連情報を表示するためのディスプレイ部分を有するラベルであって、
前記ディスプレイ部分は、電気的に書き換え可能なコレステリック液晶材料を有するディスプレイであり、前記コレステリック液晶材料は、電場を除いた後、いつまでも一定の状態を維持し、
前記ディスプレイ部分は、
可撓性基板と、
前記可撓性基板上の第１の透明な導体と、
前記可撓性基板上の前記第１の透明な導体を被覆するゼラチンにコレステリック液晶材料が分散された光変調層と、
前記光変調層に被覆されイメージ領域を規定する開口を有する誘電体層と、
前記開口を介して前記変調層に接触可能な導体であって、前記誘電体層を被覆する第２の導体と、
前記第１の透明な導体と第２の導体とにそれぞれ電気的に接触可能なコンタクトと、
を含む時間関連情報を表示するためのディスプレイ部分を有するラベル。
【請求項７】
物品のレンタルのためのシステムであって、
ａ）物品の利用において時間関連情報を表示する電気的に書き換え可能なコレステリック液晶材料を有するディスプレイであって、１週間の日またはその日の時刻に対応する各々のセグメントに分割されている書き換え可能なディスプレイを備えた前記物品に貼付されるラベルと、
ｂ）前記ディスプレイに前記時間関連情報を電気的に書き込む装置と、
を有する物品のレンタルのためのシステム。
【請求項８】
物品のレンタルのためのシステムであって、
ａ）物品の利用において時間関連情報を表示する電気的に書き換え可能なコレステリック液晶材料を有するディスプレイを備えた前記物品に貼付されるラベルと、
ｂ）前記ディスプレイに前記時間関連情報を電気的に書き込む装置と、
を有し、
前記ディスプレイは、
可撓性基板と、
前記可撓性基板上の第１の透明な導体と、
前記可撓性基板上の前記第１の透明な導体を被覆するゼラチンにコレステリック液晶材料が分散された光変調層と、
前記光変調層に被覆されイメージ領域を規定する開口を有する誘電体層と、
前記開口を介して前記変調層に接触可能な導体であって、前記誘電体層を被覆する第２の導体と、
前記第１の透明な導体と第２の導体とにそれぞれ電気的に接触可能なコンタクトと、
を有する物品のレンタルのためのシステム。
【請求項９】
物品のレンタル方法であって、
ａ）物品の利用において時間関連情報を表示する電気的に書き換え可能なコレステリック液晶材料を有するディスプレイであって、１週間の日またはその日の時刻に対応する各々のセグメントに分割されている書き換え可能なディスプレイを備えたラベルを提供し、
ｂ）前記物品に前記ラベルを貼付させ、
ｃ）前記ディスプレイに前記物品の利用に関する時間関連情報を電気的に書き込み、
ｄ）借出し人に前記物品を手渡す
ことを含む物品のレンタル方法。
【請求項１０】
物品のレンタル方法であって、
ａ）物品の利用において時間関連情報を表示する電気的に書き換え可能なコレステリック液晶材料を有するディスプレイを備えたラベルを提供し、
ｂ）前記物品に前記ラベルを貼付させ、
ｃ）前記ディスプレイに前記物品の利用に関する時間関連情報を電気的に書き込み、
ｄ）借出し人に前記物品を手渡す、ことを含み、
前記ディスプレイは、
可撓性基板と、
前記可撓性基板上の第１の透明な導体と、
前記可撓性基板上の前記第１の透明な導体を被覆するゼラチンにコレステリック液晶材料が分散された光変調層と、
前記光変調層に被覆されイメージ領域を規定する開口を有する誘電体層と、
前記開口を介して前記変調層に接触可能な導体であって、前記誘電体層を被覆する第２の導体と、
前記第１の透明な導体と第２の導体とにそれぞれ電気的に接触可能なコンタクトと、
を有する物品のレンタル方法。